(57)【要約】【課題】給排水管作業が容易で、材料に無駄がなく、且つキャビネット強度や防虫効果のある厨房家具用キャビネットを提供する。【解決手段】左右の側板（１１，１１），背板（１２）及び底板（１３）とからなり、上方及び前方が少なくとも開放した箱体（４）と、前記箱体（４）を複数の収納空間に区画するための縦中板（１４）及び横中板（１５，１６）とで構成され、前記箱体（４）の最上部の一区画に食器洗い機（２）が収納される厨房家具用キャビネットであって、前記縦中板（１４）叉は横中板（１５）の少なくとも一部が、その後端縁（２３）と背板（１２）との間に配管空間が取れるように前記側板の奥行幅よりも短寸の縦中板（１４）又は横中板（１５，１６）で構成する。【選択図】図３
2009165610.tif 000002
【特許請求の範囲】
【請求項１】
左右の側板（１１，１１）、背板（１２）及び底板（１３）とからなり、上方及び前方が少なくとも開放した箱体（４）と、
前記箱体（４）を複数の収納空間に区画するための縦中板（１４）及び横中板（１５）とで構成され、前記箱体（４）の最上部の一区画に食器洗い機（２）が収納される厨房家具用キャビネットであって、
前記縦中板（１４）又は横中板（１５）の少なくとも一部が、その後端縁（２３）と背板（１２）との間に配管空間（３３）が取れるように前記側板の奥行幅よりも短寸の縦中板（１４）又は横中板（１５）であることを特徴とする厨房家具用キャビネット。
【請求項２】
前記側板間には、前面上部に前框（１７）と、後部に後部上枠（１８）及び後部下枠（１９）を設け、前記底板（１３）が前記側板（１１）の奥行幅よりも短寸であり、蓋取付部材（２０）が設けられ、且つ前記縦中板（１４）は、後部下方を切り欠いた一枚ものの板体であり、該切り欠き位置が前記食器洗い機の収納空間（３３）の高さ位置までおよんでいることを特徴とする請求項１に記載の厨房家具用キャビネット。
【発明の詳細な説明】
【技術分野】
【０００１】
この発明は  厨房家具用キャビネット、特に複数区画に区分されたキャビネットの一画に食器洗い機収納空間のある厨房家具用キャビネットに関する。
【背景技術】
【０００２】
従来の食器洗い機用キャビネットは、特許文献１や特許文献２に示すように食器洗い機１台を収容する専用のキャビネットであり、キャビネット幅は食器洗い機を収納するための必要最小限の幅で構成されていた。そのため、食器洗い機への給排水配管は、キャビネット後方下部の空間や側板後方に開口部を設けて隣接キャビネットへの配管作業がなされていた。
また、複数区画に区分されたキャビネットとしては、隔壁部に連通口を設けた除湿庫が特許文献３に開示されている。
【０００３】
【特許文献１】特開２００７−０７５４７５号公報
【特許文献２】特開平１１−２５３２５０号公報
【特許文献３】特開平０３−０６７１４３号公報
【発明の開示】
【発明が解決しようとする課題】
【０００４】
しかしながら、特許文献１や２の厨房家具用キャビネットにあっては、食器洗い機１台の専用キャビネットであるため、運搬や梱包が容易にできるものの、キャビネット幅が狭く食器洗い機の奥側配管作業が難しく、また、隣接するキャビネットの側板と本キャビネットの側板が二重となり、側板材料がムダになるという問題があった。
また、特許文献３の隔壁部に連通口を設けた複数区画に区分されたキャビネットにあっては、必要な個所に開口部を設ける自由度はあるものの通気用の開口であるため、その空間は狭く、食器洗い機の給排水管の配管作業は難しい。
【０００５】
この発明は、かかる現状に鑑み創案されたものであって、その目的とするところは、食器洗い機を収納する厨房家具用キャビネットにあって、給排水管の配管作業が容易で、且つ、キャビネット材料に無駄がなく、更に、キャビネット強度やキャビネット内の防虫が考慮された厨房家具用キャビネットを提供しようとするものである。
【課題を解決するための手段】
【０００６】
上記課題を解決するために、本発明の請求項１に記載の厨房家具用キャビネットは、左右の側板，背板及び底板とからなり、上方及び前方が少なくとも開放した箱体と、前記箱体を複数の収納空間に区画するための縦中板及び横中板とで構成され、前記箱体の最上部の一区画に食器洗い機が収納される厨房家具用キャビネットであって、
前記縦中板又は横中板の少なくとも一部が、その後端縁と背板との間に配管空間が取れるように前記側板の奥行幅よりも短寸の縦中板又は横中板で構成したものである。
【０００７】
この発明にあっては、背板との間に区画間を連通する空間が広く取れるため、食器洗い機の奥側配管作業が容易となるとともに、区画に短寸の中板を用いることができ、従来のように中板に開口部を別途設けるよりも、材料に無駄がなく、キャビネット組立てが容易である。
【０００８】
また、本発明の請求項２に記載の厨房家具用キャビネットは、請求項１の発明に加えて、側板間には、前面上部に前框と、後部に後部上枠及び後部下枠を設け、前記底板が前記側板の奥行幅よりも短寸であり、蓋取付部材が設けられ、且つ、前記縦中板は、後部下方を切り欠いた一枚ものの板体であり、該切り欠き位置が前記食器洗い機の収納空間の高さ位置までおよんでいるようにしたものである。
【０００９】
この発明にあっては、請求項１の効果に加え、前框、後部上枠、後部下枠により、底板と背板の未結合に伴う箱体強度を向上させるとともに、蓋取付部材が背板よりも前方方向に若干突き出しているため、底板と蓋取付部材の上面が面一な部分に底板蓋材を載せて固着できるため防虫しやすく、密閉作業が容易にできる。
【発明の効果】
【００１０】
以上説明したように、本発明は、食器洗い機を収納する厨房家具用キャビネットにあって、給排水管作業が容易で、キャビネット材料に無駄がなく、且つキャビネット強度やキャビネット内の防虫効果があり、さらに、厨房家具用キャビネットへの食器洗い機の組込作業が容易であるという効果が得られる。
【発明を実施するための最良の形態】
【００１１】
本発明に係る厨房家具用キャビネットを実施するための最良の形態を、実施例に基づいて以下説明する。
【実施例１】
【００１２】
本発明の実施例を図面に基づいて説明すると、先ず第１図は実施例１における食器洗い機や引き出しが収納された厨房家具用キャビネットの全体像を示す斜視図であり、図２は、キャビネット内の収納物を取り除いた厨房家具用キャビネットの斜視図であり、図３は、破線で示す側板を透過した内部構造を説明する斜視図である。以下、図１の紙面左下側を厨房家具用キャビネットの正面側（前面側）とし、紙面右上側を後面側（奥側）として説明する。
【００１３】
図１の符号１は、本実施例における厨房家具用キャビネットである。この厨房家具用キャビネットについて説明すると、この厨房家具用キャビネット１の内部は複数の収納空間に区画され、その中に食器洗い機２や（以下、食洗機ともいう。）、引き出し３が収納されている。上面には、図示しない流し台用天板が設置され、キッチン台として使用される。食器洗い機２は流し台用天板上で調理に使用された食器類を投入し易いように流し台用天板の直下で、箱体４の最上段の区画に配置される。
【００１４】
本実施例の厨房家具用キャビネット１は、左右の側板１１と、背面の背板１２と、底板で囲まれた箱体４よりなり、前面および上面が開放されている。また、この箱体４は、縦中板１４と横中板１５で、食洗機収納空間３０、横収納空間３１、下収納空間３２等の複数の収納空間に区画される。本実施例では、食器洗い機２の高さに食洗機収納空間３０の高さを合わせるため、高さ調整中板１６が設けられている。横中板１５および高さ調整中板１６の奥行幅は、側板１１の奥行幅より短寸となっている。箱体４の前面に合わせて横中板１５および高さ調整中板１６が側板１１や縦中板１４に固着されるため、横中板１５および高さ調整中板１６の後端部と背板１２との間には配管空間３３が造られる。
【００１５】
また、本実施例の縦中板１４は、横中板１５から前框１７までの高さを有し、縦中板１４の上部は奥行幅が側板１１の奥行幅と略同じであるが、下部奥側は切り欠いてあり、切り欠き部２４を構成している。これは、横収納空間３１側からも食器洗い機２への配管作業ができるようにしたもので、引き出し３を引き抜けば奥側の配管の点検や配管作業がやり易くなる。この切り欠きは下部から食洗機収納空間３０の一部にかかる高さとすることが、配管空間３３を広くすることができ好ましい。縦中板１４の上部も側板１１の奥行寸法より短寸として、配管空間３３を更に広くすることもできるが、上部は側板１１の奥行寸法と等しくし、端部を背板１２に固着させることで箱体４の強度を増すことができる。さらに、下収納空間３２が両側板間にいっぱいの広い収納空間であるため、食器洗い機２の配管作業や点検作用が食器洗い機の下部から行い易い。
【００１６】
さらに、本実施例では、側板間の前面上部を前框１７で固着し、後部に後部上枠１８、後部下枠１９を設けて側板１１に固着して、箱体４の強度を高めている。また、底板１３の奥行寸法も側板１１の奥行幅よりも短寸として、床から立ち上がる配管の貫通用開口部となるように構成している。さらに、背板下部には、背板１２の幅全長に亘って後部下枠１９に若干前方に突出するように蓋取付部材２０を固着し、配管用開口部に底板蓋材２２を取り付け易くすると共に、底板上面と蓋取付部材２０の上面が面一になるようにして、底板蓋材２２を取り付けた場合に完全に隙間が塞がれるようにして、虫や埃の侵入を防止できるようにしている。
【００１７】
また、本実施例の縦中板１４には、横中板１５の前端と後端部に補強縦枠２１を用いて、縦中板１４の厚さを補強している。横収納空間３１に引き出し３を配置する場合のレール（図示せず）取り付け位置に対応させて補強縦枠２１を配置することで、縦中板１４をベニヤ板などの薄い板材にしてコスト低減や箱体４の軽量化を図ることができる。ちなみに、本実施例にあっては、両側板１１、底板１３、縦中板１４、横中板１５、高さ調整中板１６はパーチクルボード材が使用され、背板１２は薄板である。また、本実施例の底板１３は、床から若干浮かせるように、側板下端位置から５ｍｍ上方の両側板内面に固着させ、底板下部の通気を図り耐久性向上に配慮している。
【実施例２】
【００１８】
次に、実施例２に係る厨房家具用キャビネット１につき、図４を参照して説明する。尚、前記実施例１と同一構造で重複する構成は説明を省略する。図４の実施例は、実施例１に比較し、横中板１５を分割して食洗機収納空間３０の高さ調整中板１６を兼用させている点、縦中板１４が底板１３から前框１７までの高さである点、縦中板１４の切り欠き部２４を低くしている点で相違している。このように、食洗機収納空間下部の下収納空間３２を２分割し、空間の高さを高くすることができ、前面から食器洗い機２の奥側下部での配管作業を容易にできるようになっている。
【００１９】
以上、本発明の実施例を図面により説明してきたが、具体的な構成はこれら実施例に限られるものではなく、本発明の要旨を逸脱しない範囲における変更や追加があっても本発明に含まれる。
【００２０】
例えば、本実施例１では、横収納空間３１および下収納空間３２に引き出し２を配置しているが、開き戸の収納にしてもよく、この場合は配管空間３３の配管作業や点検が引き出し２を取外すことなくできるので、さらに作業しやすい。
【図面の簡単な説明】
【００２１】
【図１】実施例１の食器洗い機や引き出しが収納された厨房家具用キャビネットの全体像を示す斜視図である。
【図２】図１のキャビネット内の収納物を取り除いた厨房家具用キャビネットの斜視図である。
【図３】図２の側板を透過した内部構造を説明する斜視図である。
【図４】実施例２の厨房家具用キャビネットで側板を透過した内部構造を示す斜視図である。
【符号の説明】
【００２２】
１  厨房家具用キャビネット
２  食器洗い機（食洗機）
３  引き出し
４  箱体
１１  側板
１２  背板
１３  底板
１４  縦中板
１５  横中板
１６  高さ調整中板
１７  前框
１８  後部上枠
１９  後部下枠
２０  蓋取付部材
２１  補強縦枠
２２  底板蓋材
２３  後端縁
２４  切り欠き部
３０  食洗機収納空間
３１  横収納空間
３２  下収納空間
３３  配管空間
【図１】
2009165610.tif 000003
【図２】
2009165610.tif 000004
【図３】
2009165610.tif 000005
【図４】
2009165610.tif 000006